(57)【特許請求の範囲】
【請求項１】
可撓性の薄型シート媒体への印字をカードプリンタにて可能とすべく前記薄型シート媒体に装着されるカードプリンタ用アタッチメントであって、
一方の面に貼着後の剥離が可能な貼着手段が付与された所定の厚さの硬質性の板状基部と、
前記板状基部の前記貼着手段が付与された面において、前記板状基部の辺のうち少なくとも第１の辺に設けられ、前記薄型シート媒体の端辺を嵌合保持する嵌合溝を具備する当接部とを有し、
前記板状基部は、前記嵌合溝に対向する領域から前記嵌合溝に対向しない領域までの一定幅を有する領域が、前記貼着手段が付与されていない非貼着部となっている、カードプリンタ用アタッチメント。
【発明の詳細な説明】
【技術分野】
【０００１】
本発明は、可撓性の薄型シート媒体への印字をカードプリンタにて行うために薄型シート媒体に装着されるカードプリンタ用アタッチメントに関する。
【背景技術】
【０００２】
近年、情報化社会の進展に伴って、情報をカードに記録し、該カードを用いた情報管理等が行われている。このような情報管理等に用いられるカードとしては、表面に情報が印字されただけのものから、表面に磁気ストライプが貼付されたもの、さらには、構造的に複雑なものとしてＩＣチップが内蔵されたＩＣカード等がある。これらのカードにおいては、その表面に所有者に関する情報が表示され、この情報が変更された場合には追加情報を含む変更情報を裏面に印字することも行われている。
【０００３】
特許文献１には、既存のカードに追加情報等を印字するゲーム装置が開示されている。特許文献１に開示されたゲーム装置に用いられるカードにおいては、キャラクタやその属性等が印刷された印刷領域と、後に追加情報が印字される追加印字領域とが設けられており、ゲーム装置にカードが挿入された後、追加印字領域に追加情報が印字されることになる。
【０００４】
このようにカードに対して情報を印字するプリンタとして、カードプリンタが利用されている。カードプリンタにおいては、一定の厚さを有する硬質性の情報媒体を搬送及び印字可能とする構成であることから、カードプリンタにて情報が印字されるカードは、一定の厚さを有する硬質部材で構成されたものが一般的である。
【先行技術文献】
【特許文献】
【０００５】
【特許文献１】特開２００９−０３４４１２号公報
【発明の概要】
【発明が解決しようとする課題】
【０００６】
ところで、情報管理等に用いられるカードとしては、上述したように硬質部材で構成されたものに限らず、可撓性の薄型シート媒体からなるものも利用されている。このような薄型シート媒体に対してカードプリンタにて情報を印字しようとすると、一定の厚さを有する硬質部材で構成されたものではなく可撓性を有する薄型のものであることから、カードプリンタ内にて薄型シート媒体が搬送中に撓み、ジャム等といった搬送支障が生じるとともに、印字ヘッドと情報印字面との間隔が離れることで確実な印字が行われなくなってしまう。
【０００７】
そこで、可撓性の薄型シート媒体からなるカードをカードプリンタにて搬送して印字可能とするために、薄型シート媒体の情報印字面ではない面をラミネート等により硬質化させることが一般的に行われている。しかしながら、可撓性の薄型シート媒体にラミネート処理等を施すことは、特に大量のカードを発行する場合等においてコスト高を招くことになるという問題点がある。
【０００８】
また、カードプリンタにて薄型シート媒体に対して情報を確実に印字するために、カードや薄型シート媒体の厚さに応じて印字ヘッドの位置調整を行う構成とすることが考えられるが、そのような機構を設けることはカードプリンタの大型化を招くとともにコスト高になるという問題点がある。
【０００９】
本発明は、上述したような問題点に鑑みてなされたものであって、可撓性の薄型シート媒体への確実な印字を、カードプリンタにてコスト高やカードプリンタの大型化を招くことなく可能とするカードプリンタ用アタッチメントを提供することを目的とする。
【課題を解決するための手段】
【００１０】
上記目的を達成するために本発明は、
可撓性の薄型シート媒体への印字をカードプリンタにて可能とすべく前記薄型シート媒体に装着されるカードプリンタ用アタッチメントであって、
一方の面に貼着後の剥離が可能な貼着手段が付与された所定の厚さの硬質性の板状基部と、
前記板状基部の前記貼着手段が付与された面において、前記板状基部の辺のうち少なくとも第１の辺に設けられ、前記薄型シート媒体の端辺を嵌合保持する嵌合溝を具備する当接部とを有し、
前記板状基部は、前記嵌合溝に対向する領域から前記嵌合溝に対向しない領域までの一定幅を有する領域が、前記貼着手段が付与されていない非貼着部となっている。
【００１１】
上記のように構成された本発明においては、薄型シート媒体の端辺を当接部に当接させ、その状態で薄型シート媒体を貼着手段によって板状基部に剥離可能に貼着することにより、カードプリンタにて搬送可能な硬質性が確保され、また、板状基部の厚さを適宜設定することで、カードプリンタにて搬送可能な厚さが確保されるとともに、印字ヘッドと薄型シート媒体の情報印字面との間隔が、印字ヘッドの位置調整を行うことなくカードプリンタにて情報を確実に印字可能となるものに設定される。また、薄型シート媒体が貼着手段によって板状基部に剥離可能に貼着されることにより、薄型シート媒体がカードプリンタ内を搬送中にカードプリンタ用アタッチメントから脱落してしまうことが回避されながらも、カードプリンタにて情報を印字した後、カードプリンタ用アタッチメントを薄型シート媒体から取り外すことができる。また、薄型シート媒体の端辺を当接部に当接させた状態で薄型シート媒体を貼着手段によって板状基部に貼着する構成とすることで、薄型シート媒体にカードプリンタ用アタッチメントを容易に装着することができる。
【００１２】
また、当接部が、薄型シート媒体の端辺を嵌合保持する嵌合溝を有することにより、この嵌合溝に薄型シート媒体の端辺を嵌合保持させることによっても、薄型シート媒体がカードプリンタ内を搬送中にカードプリンタ用アタッチメントから脱落してしまうことが回避されることになる。また、このような構成において、板状基部のうち当接部の近傍の領域が、貼着手段が付与されていない非貼着部となっていることで、薄型シート媒体の端辺を嵌合溝に嵌合させやすくなる。
【発明の効果】
【００１５】
本発明によれば、薄型シート媒体がその端辺が当接部に当接した状態で貼着手段によって板状基部に剥離可能に貼着されることにより、カードプリンタにて搬送及び印字可能な硬質性が確保されるとともに、印字ヘッドと薄型シート媒体の情報印字面との間隔が、印字ヘッドの位置調整を行うことなくカードプリンタにて情報を確実に印字可能となるものに設定されることになり、それにより、可撓性の薄型シート媒体への確実な印字が、カードプリンタにてコスト高やカードプリンタの大型化を招くことなく可能となる。また、薄型シート媒体が貼着手段によって板状基部に剥離可能に貼着されることにより、薄型シート媒体がカードプリンタ内を搬送中にカードプリンタ用アタッチメントから脱落してしまうことが回避されながらも、カードプリンタにて情報を印字した後、カードプリンタ用アタッチメントを薄型シート媒体から取り外すことができる。また、薄型シート媒体の端辺を当接部に当接させた状態で薄型シート媒体を貼着手段によって板状基部に貼着することで、薄型シート媒体にカードプリンタ用アタッチメントを容易に装着することができる。
【００１６】
また、当接部が、薄型シート媒体の端辺を嵌合保持する嵌合溝を有するものにおいては、この嵌合溝に薄型シート媒体の端辺を嵌合保持させることによっても、薄型シート媒体がカードプリンタ内を搬送中にカードプリンタ用アタッチメントから脱落してしまうことを回避することができる。また、このような構成において、板状基部のうち当接部の近傍の領域が、貼着手段が付与されていない非貼着部となっていることにより、薄型シート媒体の端辺を嵌合溝に嵌合させやすくすることができる。
【００１７】
また、当接部が、板状基部の辺に沿って形成された土手形状からなり、貼着手段が、少なくとも、第１の辺に設けられた当接部に沿う領域の少なくとも一部と、板状基部の第１の辺に対向する第２の辺の少なくとも一部とに付与されているものにおいては、第１の辺または第２の辺が先端側となってカードプリンタにて搬送される場合に、薄型シート媒体がカードプリンタ内を搬送中にその端辺から捲れ上がってアタッチメントから脱落してしまうことを回避することができる。
【００１８】
また、上記のようなカードプリンタ用アタッチメントが薄型シート媒体に装着されたアタッチメント一体カードを用いて、薄型シート媒体の情報印字面にカードプリンタにて印字を行う場合に、アタッチメント一体カードをカードプリンタ内を搬送し、アタッチメント一体カードにおける薄型シート媒体の少なくとも情報印字面を撮像し、情報印字面が撮像されたアタッチメント一体カードをカードプリンタ内を搬送し、当該情報印字面に所定情報を印字することにより、可撓性の薄型シート媒体への確実な印字を、カードプリンタにてコスト高やカードプリンタの大型化を招くことなく行うことができる。
【図面の簡単な説明】
【００１９】
【図１】本発明のカードプリンタ用アタッチメントの第１の実施の形態を示す図であり、（ａ）は表面図、（ｂ）は（ａ）に示す矢印Ａ方向から見た側面図、（ｃ）は（ａ）に示す矢印Ｂ方向から見た側面図、（ｄ）は（ａ）に示す矢印Ｃ方向から見た側面図、（ｂ）は（ａ）に示すＤ部拡大図、（ｆ）は裏面図である。
【図２】図１に示したカードプリンタ用アタッチメントが装着される薄型シート媒体の一例を示す図であり、（ａ）は表面図、（ｂ）は裏面図である。
【図３】図２に示したカードへの図１に示したカードプリンタ用アタッチメントの装着方法を説明するための図である。
【図４】図２に示したカードに図１に示したカードプリンタ用アタッチメントが装着されてなるアタッチメント一体カードを示す図であり、（ａ）は表面図、（ｂ）は裏面図である。
【図５】図１に示したカードプリンタ用アタッチメントが装着されたカードに対して撮像及び印字を行うカードプリンタの内部構成を示す図である。
【図６】図５に示したカードプリンタの動作を説明するための図である。
【図７】本発明のカードプリンタ用アタッチメントの第２の実施の形態を示す図であり、（ａ）は表面図、（ｂ）は（ａ）に示す矢印Ａ方向から見た側面図、（ｃ）は（ａ）に示す矢印Ｂ方向から見た側面図、（ｄ）は（ａ）に示す矢印Ｃ方向から見た側面図、（ｂ）は（ａ）に示すＤ部拡大図、（ｆ）は裏面図である。
【図８】図２に示したカードへの図７に示したカードプリンタ用アタッチメントの装着方法を説明するための図である。
【図９】図２に示したカードに図７に示したカードプリンタ用アタッチメントが装着されてなるアタッチメント一体カードを示す図であり、（ａ）は表面図、（ｂ）は裏面図である。
【発明を実施するための形態】
【００２０】
以下に、本発明の実施の形態について図面を参照して説明する。
【００２１】
（第１の実施の形態）
図１は、本発明のカードプリンタ用アタッチメントの第１の実施の形態を示す図であり、（ａ）は表面図、（ｂ）は（ａ）に示す矢印Ａ方向から見た側面図、（ｃ）は（ａ）に示す矢印Ｂ方向から見た側面図、（ｄ）は（ａ）に示す矢印Ｃ方向から見た側面図、（ｂ）は（ａ）に示すＤ部拡大図、（ｆ）は裏面図である。
【００２２】
本形態におけるカードプリンタ用アタッチメントは図１に示すように、透明シート１１と、透明シート１１上に設けられた嵌合部１２とから構成されている。
【００２３】
透明シート１１は、本願発明における板状基部となるものである。透明シート１１は、ポリエチレンテレフタレート（ＰＥＴ）や塩化ビニル等の硬質性を有する樹脂から構成されており、カードプリンタ用アタッチメント１０が装着される薄型シート媒体と略同一の大きさを有し、角部に丸みを帯びた略長方形となっている。透明シート１１の第１の辺となる短辺の１つに嵌合部１２が設けられている。また、透明シート１１は、嵌合部１２が設けられた面の一部に、貼着後の剥離が可能な粘着剤１３が塗布されることで貼着手段が付与されている。粘着剤１３は、透明シート１１の嵌合部１２が設けられた面のうち、嵌合部１２が設けられた辺に対向する辺から一定幅を有して塗布されており、それにより、嵌合部１２から一定幅を有する領域は、粘着剤１３が塗布されていない非貼着部１４となっている。なお、硬質性を有するとは、一定の硬さを有するものを言い、撓ませた場合に手を離すと元に戻るものでも、撓み性がないものでも構わない。
【００２４】
嵌合部１２は、本願発明における当接部となるものである。嵌合部１２は、樹脂等からなるトラック形状の透明シート１２ａの一部がスペーサとなる接着剤１２ｂによって透明シート１１の一辺に貼着されることで構成されている。透明シート１２ａは、トラック形状の半分の領域の外形が、透明シート１１の丸みを帯びた角部を含む短辺と同一の形状を有し、一方の直線部が透明シート１１の第１の辺となる短辺と重なった状態で、当該一方の直線部側の半分の領域が接着剤１２ｂによって透明シート１１に貼着されている。それにより、トラック形状の他方の半分の領域と透明シート１１との間に嵌合溝１２ｃが形成されている。なお、透明シート１２ａの一部を接着剤１２ｂによって透明シート１１に貼着するのではなく、端辺に接着剤１２ｂに相当する段差を有する透明なシートを透明シート１２ａの代わりに用い、この段差部分をスペーサとして用いて透明シート１１に溶着する構成とすることも考えられる。
【００２５】
以下に、上記のように構成されたカードプリンタ用アタッチメント１０の使用方法について説明する。
【００２６】
まず、上記のように構成されたカードプリンタ用アタッチメント１０が装着される薄型シート媒体について説明する。
【００２７】
図２は、図１に示したカードプリンタ用アタッチメント１０が装着される薄型シート媒体の一例を示す図であり、（ａ）は表面図、（ｂ）は裏面図である。
【００２８】
図１に示したカードプリンタ用アタッチメント１０が装着される薄型シート媒体としては、例えば、短辺が約５４ｍｍ、長辺が約８５ｍｍの運転免許証等と同一の大きさの可撓性を有する紙製のものが考えられ、図２に示すように、一方の面が、情報表示領域２１が設けられた情報表示面となるとともに、他方の面が、印字領域２２が設けられた情報印字面となる構成が考えられる。
【００２９】
情報表示領域２１には、カード２０の所有者の住所や氏名、カード２０の種類を示す情報等が予め印刷されている。印字領域２１は、情報表示領域２１に印刷された情報に変更が生じた場合に、変更後の情報を印字するためのものである。
【００３０】
次に、図２に示したカード２０への図１に示したカードプリンタ用アタッチメント１０の装着方法について説明する。
【００３１】
図３は、図２に示したカード２０への図１に示したカードプリンタ用アタッチメント１０の装着方法を説明するための図である。なお、図３においては、カードプリンタ用アタッチメント１０の構造をわかりやすく示すため、その寸法を無視している。
【００３２】
図２に示したカード２０に図１に示したカードプリンタ用アタッチメント１０を装着する場合は、まず、図３（ａ）に示すように、カード２０の情報表示領域２１が設けられた情報表示面がカードプリンタ用アタッチメント１０に対向する向きで、カード２０を一方の短辺側から嵌合溝１２ｃに差し込み、当該短辺を嵌合部１２の接着剤１２ｂに当接させた状態で嵌合溝１２ｃにて嵌合保持させる。この際、カード２０が、嵌合溝１２ｃ及びその近傍において透明シート１１に当接するが、透明シート１１のカード２０が当接する領域は、粘着剤１３が塗布されていない非貼着部１４となっているため、カード２０を透明シート１１上を嵌合部１２に向かってスライドさせながら嵌合溝１２ｃに差し込むことができ、カード２０を容易に嵌合溝１２ｃに嵌合させることができる。また、カード２０の一方の短辺側を嵌合溝１２ｃに差し込んだ状態においても、他方の短辺側が図３（ａ）に示すように透明シート１１から離れた状態であれば、カードプリンタ用アタッチメント１０に対して、嵌合溝１２ｃが延びる方向にカード２０をずらしてその位置調整を行うことができる。
【００３３】
そして、カード２０の一方の短辺側が嵌合溝１２ｃに嵌合保持された状態で、図３（ｂ）に示すように、カード２０の他方の短辺側も透明シート１１に当接させ、カード２０を粘着剤１３によって透明シート１１に貼着させることで、カード２０にカードプリンタ用アタッチメント１０を装着し、カード２０にカードプリンタ用アタッチメント１０が装着されてなるアタッチメント一体カード１を構成させる。
【００３４】
このように、カード２０を一方の短辺側から嵌合溝１２ｃに差し込み、当該短辺を嵌合部１２の接着剤１２ｂに当接させて嵌合溝１２ｃにて嵌合保持させた状態で、カード２０の他方の短辺側も透明シート１１に当接させ、カード２０を粘着剤１３によって透明シート１１に貼着させてカード２０にカードプリンタ用アタッチメント１０を装着することとなるため、カード２０にカードプリンタ用アタッチメント１０を容易に装着することができる。
【００３５】
図４は、図２に示したカード２０に図１に示したカードプリンタ用アタッチメント１０が装着されてなるアタッチメント一体カード１を示す図であり、（ａ）は表面図、（ｂ）は裏面図である。
【００３６】
上記のようにしてカード２０にカードプリンタ用アタッチメント１０が装着された状態においては、情報表示領域２１が設けられた情報表示面がカードプリンタ用アタッチメント１０に対向しているため、印字領域２２が設けられた情報印字面が表出している。さらに、印字領域２２が設けられた情報印字面は、カード２０の一方の短辺が嵌合溝１２ｃに嵌合保持されていることにより、当該短辺に沿う領域のみが嵌合部１２を構成する透明シート１２ａに対向している。そのため、嵌合溝１２ｃの幅を、カード２０の一方の短辺が嵌合溝１２ｃに嵌合保持された場合に印字領域２２が透明シート１２ａに対向しない幅とすることにより、図４（ａ）に示すように、印字領域２２をその全面にて表出させることができ、後述するカードプリンタにて印字領域２２に所定情報を印字することができる。
【００３７】
また、カード２０の情報表示領域２１が設けられた情報表示面は、その全面が、カードプリンタ用アタッチメント１０を構成する透明シート１１に対向しているが、透明シート１１が透明であることにより、図４（ｂ）に示すように、カード２０にカードプリンタ用アタッチメント１０が装着された状態においても、カード２０の情報表示領域２１が設けられた情報表示面を撮像することができる。なお、透明シート１１の代わりに半透明のシートを用いた場合であっても、カード２０の情報表示領域２１が設けられた情報表示面を、情報表示領域２１に印刷された情報が認識可能となるように撮像することができる程度の透明度を有していればよい。また、嵌合部１２を構成する透明シート１２ａは、そのような条件を満たす必要がないため、透明シート１２ａの代わりに透明ではないシートを用いてもよい。
【００３８】
以下に、上述したカードプリンタ用アタッチメント１０が装着されたカード２０に対する撮像及び印字方法について説明する。
【００３９】
図５は、図１に示したカードプリンタ用アタッチメント１０が装着されたカード２０に対して撮像及び印字を行うカードプリンタの内部構成例を示す図である。
【００４０】
本例におけるカードプリンタは図５に示すように、カード２０にカードプリンタ用アタッチメント１０が装着されたアタッチメント一体カード１が供給される領域に載置台３１及び供給ローラ３２が配置され、アタッチメント一体カード１が排出される領域にカードスタッカ３３が配置されて構成されている。また内部には、カード２０の情報表示領域２１や印字領域２２を撮像するスキャナ部５０と、印字領域２２に情報を印字する印字ヘッド４１及び熱転写フィルムユニット４３と、アタッチメント一体カード１が一時保持されるガイド部７３ａ，７３ｂとが設けられている。
【００４１】
図６は、図５に示したカードプリンタの動作を説明するための図である。
【００４２】
上記のように構成されたカードプリンタにおいて、カード２０の情報表示領域２１や印字領域２２を撮像したり、印字領域２２に情報を印字したりする場合は、カード２０にカードプリンタ用アタッチメント１０が装着されたアタッチメント一体カード１を、カード２０の印字領域２２が設けられた情報印字面が上面となるように載置台３１上に載置する。
【００４３】
すると、図６（ａ）に示すように、供給ローラ３２によってアタッチメント一体カード１がカードプリンタに供給されていく。その際、嵌合部１２が設けられた辺側がカードプリンタに対する先端となるようにアタッチメント一体カード１を載置台３１上に載置する。それにより、カードプリンタにおいては、嵌合部１２が設けられた辺をカードプリンタに対する先端としてアタッチメント一体カード１を受け付けることになる。
【００４４】
カードプリンタに供給されたアタッチメント一体カード１は、カードプリンタ内を搬送され、まず、図６（ｂ）に示すように、搬送ローラ６１ａ，６１ｂ，７１ａ，７１ｂによってスキャナ部５０に搬送される。スキャナ部５０においては、２つのラインセンサ５１ａ，５１ｂが、アタッチメント一体カード１の搬送経路を介して上下に対向して配置されており、アタッチメント一体カード１がスキャナ部５０に搬送されてくると、ラインセンサ５１ａにおいて、カード２０の印字領域２２が設けられた情報印字面が撮像されるとともに、ラインセンサ５１ｂにおいて、カード２０の情報表示領域２１が設けられた情報表示面が撮像される。
【００４５】
撮像された画像は、制御部８０に送られ、制御部８０の制御によってディスプレイ（不図示）に表示される。そして、アタッチメント一体カード１が、カード２０の印字領域２２が設けられた情報印字面が上面となるようにカードプリンタに供給されたことが確認され、印字領域２２に印字すべき所定情報がキーボード（不図示）等を介して入力されると、入力された情報が制御部８０に送られ、制御部８０において、入力された情報とラインセンサ５１ａにて撮像された画像とに基づいて印字データが生成される。ここで、印字データの生成に、ラインセンサ５１ａにて撮像された画像を用いるのは、カード２０に対するカードプリンタ用アタッチメント１０の装着位置が、嵌合溝１２ｃが延びる方向にずれていた場合に、ラインセンサ５１ａにて撮像された画像を参照することでそのずれを把握することができ、ずれに応じた位置に情報を印字することができるようにするためである。
【００４６】
なお、スキャナ部５０においては、処理内容に応じて、ラインセンサ５１ａのみが動作し、ラインセンサ５１ａにおいて、カード２０の印字領域２２が設けられた情報印字面が撮像されるだけの構成とすることも考えられる。
【００４７】
ラインセンサ５１ａにおいて、カード２０の印字領域２２が設けられた情報印字面が撮像されるとともに、ラインセンサ５１ｂにおいて、カード２０の情報表示領域２１が設けられた情報表示面が撮像されたアタッチメント一体カード１は、図６（ｃ）に示すように、搬送ローラ７１ａ，７１ｂ，７２ａ，７２ｂによって、ガイド部７３ａ，７３ｂに挟まれる領域に搬送されて一時的に保持され、その後、搬送ローラ６１ａ，６１ｂよりも供給ローラ３２側にカードプリンタ内を搬送される。
【００４８】
搬送ローラ６１ａ，６１ｂよりも供給ローラ３２側に搬送されたアタッチメント一体カード１は、嵌合部１２が設けられた辺側を先端としてカードプリンタ内を再び搬送され、図６（ｄ）に示すように、搬送ローラ６１ａ，６１ｂ，７１ａ，７１ｂによって印字ヘッド４１に対向する領域に搬送される。印字ヘッド４１には印字ローラ４４が対向配置されており、これら印字ヘッド４１と印字ローラ４４との間に、熱転写フィルムユニット４３から熱転写フィルム４２が供給される。
【００４９】
そして、制御部８０にて生成された印字データが印字ヘッド４１に送られ、印字ヘッド４１によって熱転写フィルム４２が印字データに応じて転写されることで、カード２０の印字領域２２に所定情報が印字されることになる。この際、上述したように、アタッチメント一体カード１の全体の厚さが、例えば運転免許証等のような硬質性のカードと同等の厚さとなるように、カードプリンタ用アタッチメント１０の透明シート１１及び嵌合部１２の厚さを設定することで、印字ヘッド４１とカード２０の情報印字面との間隔が、印字ヘッド４１の位置調整を行うことなくカードプリンタにて情報を確実に印字可能となるものに設定される。
【００５０】
その後、印字領域２２に所定情報が印字されたアタッチメント一体カード１は、カードプリンタ内を搬送され、カードスタッカ３３に排出されることになる。
【００５１】
このように本形態においては、カード２０にカードプリンタ用アタッチメント１０を装着したアタッチメント一体カード１がカードプリンタに供給され、カード２０の情報印字面や情報表示面が撮像されたり、印字領域２２に情報が印字されたりしているが、アタッチメント一体カード１は、嵌合部１２を構成する透明シート１２ａの厚さ及び接着剤１２ｂの塗布厚を極力薄くすることによって、カード２０が粘着剤１３によって透明シート１１に貼着された厚さをアタッチメント一体カード１全体の厚さとすることができる。そして、その全体の厚さが、例えば運転免許証等のような硬質性のカードと同等の厚さとなるように、カードプリンタ用アタッチメント１０の透明シート１１及び嵌合部１２の厚さを設定することで、カードプリンタ内の搬送にて必要となる硬質性や厚さが確保され、カードプリンタ内を搬送し、カードプリンタにてカード２０の情報表示面や情報印字面を撮像したり、印字領域２２に情報を印字したりすることができる。また、カード２０にカードプリンタ用アタッチメント１０が装着されたアタッチメント一体カード１がカードプリンタ内を搬送されていく際、カード２０の一部がカードプリンタ用アタッチメント１０の透明シート１１に粘着剤１３によって貼着されているため、カードプリンタ内にてカード２０がカードプリンタ用アタッチメント１０から脱落してしまうことが回避される。また、カード２０の一方の短辺が嵌合部１２にてカードプリンタ用アタッチメント１０に嵌合保持されていることによっても、カード２０がカードプリンタ用アタッチメント１０から脱落してしまうことが回避される。特に、カード２０のカードプリンタ内にて搬送される先端側が嵌合部１２によってカードプリンタ用アタッチメント１０に嵌合保持されていることによって、カードプリンタ用アタッチメント１０からのカード２０の脱落防止の効果が向上する。
【００５２】
上記のようにして印字領域２２に情報が印字されたカード２０は、その後、カード用アタッチメント１０を取り外して使用されることになるが、カード２０は粘着剤１３によってカード用アタッチメント１０の透明シート１１に剥離可能に貼着されているため、透明シート１１から剥離することで、カード用アタッチメント１０を容易に取り外すことができる。
【００５３】
なお、本形態においては、粘着剤１３が、透明シート１１の嵌合部１２が設けられた面のうち、嵌合部１２が設けられた辺に対向する辺から一定幅を有して塗布されていることにより、嵌合部１２から一定幅を有する領域が、粘着剤１３が塗布されていない非貼着部１４となっているが、上述したように、カード２０を嵌合溝１２ｃに嵌合させやすいものし、また、カード２０の一方の短辺側を嵌合溝１２ｃに差し込んだ状態において、カードプリンタ用アタッチメント１０に対して、嵌合溝１２ｃが延びる方向にカード２０をずらしてその位置調整を行うことができるようにするためには、少なくとも嵌合部１２の近傍の領域が非貼着部１４となっていればよい。
【００５４】
また、本形態における嵌合部１２は、透明シート１１の一辺に設けられているが、透明シート１１の対向する２つの辺や３つの辺のそれぞれに設けてもよく、また、それらの辺の全域に渡って設けずに一部に設けた構成であってもよい。その場合においても、嵌合部の近傍の領域を非貼着部としておくことが好ましい。特に、図５に示したように戻り搬送を行うカードプリンタ内を搬送される場合、透明シート１１の対向する２つの辺のそれぞれに嵌合部１２を設けておくことにより、粘着剤１３を透明シート１１の一部に塗布するだけの構成であっても、カード２０にカードプリンタ用アタッチメント１０が装着されたアタッチメント一体カード１がカードプリンタ内を搬送されていく際、カード２０がカードプリンタ用アタッチメント１０から脱落してしまうことが回避される。その場合、透明シート１１の２つの嵌合部１２間の中央部分のみにライン状に粘着剤１３を塗布しておくことが考えられ、カード２０にカードプリンタ用アタッチメント１０を装着する際、カード２０の一方の短辺を一方の嵌合部１２の嵌合溝１２ｂに嵌合保持させた後、カード２０を長辺方向に撓ませて他方の短辺を他方の嵌合部１２の嵌合溝１２ｂに嵌合保持させ、その後、カード２０を粘着剤１３によって透明シート１１に貼着することになる。
【００５５】
また、本形態における嵌合部１２は、トラック形状の透明シート１２ａの一部が接着剤１２ｂによって透明シート１１の一辺に貼着されることで構成されているが、透明シート１１の短辺の近傍の領域を一定幅だけ折り曲げることで、嵌合部１２を透明シート１１と一体として形成することも考えられる。
【００５６】
（第２の実施の形態）
図７は、本発明のカードプリンタ用アタッチメントの第２の実施の形態を示す図であり、（ａ）は表面図、（ｂ）は（ａ）に示す矢印Ａ方向から見た側面図、（ｃ）は（ａ）に示す矢印Ｂ方向から見た側面図、（ｄ）は（ａ）に示す矢印Ｃ方向から見た側面図、（ｂ）は（ａ）に示すＤ部拡大図、（ｆ）は裏面図である。
【００５７】
本形態におけるカードプリンタ用アタッチメントは図７に示すように、透明シート１１１と、透明シート１１１上に設けられた土手形状の土手部１１２とから構成されている。
【００５８】
透明シート１１１は、本願発明における板状基部となるものであり、外形は第１の実施の形態にて示したものと同等である。本形態における透明シート１１１は、第１の辺となる短辺の１つに土手部１１２が設けられているとともに、土手部１１２が設けられた面の全面に、貼着後の剥離が可能な粘着剤１１３が塗布されることで貼着手段が付与されている。
【００５９】
土手部１１２は、本願発明における当接部となるものである。土手部１１２は、樹脂等からなる半トラック形状の透明シート１１２ａが接着剤１１２ｂによって透明シート１１１の一辺に貼着されることで構成されている。透明シート１１２ａは、第１の実施の形態にて示したものと同様に、透明シート１１１の第１の辺となる短辺と重なった状態で接着剤１１２ｂによって透明シート１１１に貼着されている。
【００６０】
以下に、上記のように構成されたカードプリンタ用アタッチメント１１０の使用方法について説明する。
【００６１】
図８は、図２に示したカード２０への図７に示したカードプリンタ用アタッチメント１１０の装着方法を説明するための図である。なお、図８においては、カードプリンタ用アタッチメント１０の構造をわかりやすく示すため、その寸法を無視している。
【００６２】
図２に示したカード２０に図７に示したカードプリンタ用アタッチメント１１０を装着する場合は、まず、図８（ａ）に示すように、カード２０の情報表示領域２１が設けられた情報表示面がカードプリンタ用アタッチメント１１０に対向する向きで、カード２０の一方の短辺を土手部１１２に当接させる。
【００６３】
そして、カード２０の一方の短辺が土手部１２２に当接した状態で、図８（ｂ）に示すように、カード２０を粘着剤１１３によって透明シート１１１に貼着させることで、カード２０にカードプリンタ用アタッチメント１１０を装着し、カード２０にカードプリンタ用アタッチメント１１０が装着されてなるアタッチメント一体カード１０１を構成させる。
【００６４】
このように、カード２０の一方の短辺を土手部１１２に当接させた状態で、カード２０を粘着剤１１３によって透明シート１１１に貼着させてカード２０にカードプリンタ用アタッチメント１１０を装着することとなるため、カード２０にカードプリンタ用アタッチメント１１０を容易に装着することができる。
【００６５】
図９は、図２に示したカード２０に図７に示したカードプリンタ用アタッチメント１１０が装着されてなるアタッチメント一体カード１０１を示す図であり、（ａ）は表面図、（ｂ）は裏面図である。
【００６６】
上記のようにしてカード２０にカードプリンタ用アタッチメント１１０が装着された状態においては、情報表示領域２１が設けられた情報表示面がカードプリンタ用アタッチメント１１０に対向しており、また、一方の短辺が土手部１１２に当接しているだけであるため、図９（ａ）に示すように、印字領域２２をその全面にて表出させることができ、第１の実施の形態にて示したものと同様に、カードプリンタにて印字領域２２に情報を印字することができる。
【００６７】
また、カード２０の情報表示領域２１が設けられた情報表示面は、その全面が、カードプリンタ用アタッチメント１１０を構成する透明シート１１１に対向しているが、透明シート１１１が透明であることにより、図９（ｂ）に示すように、カード２０にカードプリンタ用アタッチメント１１０が装着された状態においても、カード２０の情報表示領域２１が設けられた情報表示面を撮像することができる。
【００６８】
このように構成されたアタッチメント一体カード１０１においても、第１の実施の形態にて示したものと同様にカードプリンタ内を搬送され、カード２０の情報印字面や情報表示面が撮像されたり、印字領域２２に情報が印字されたりすることができるが、その際、カード２０がその全面にて、カードプリンタ用アタッチメント１１０を構成する透明シート１１１に貼着されているため、アタッチメント一体カード１０１がカードプリンタ内を搬送中にカード２０が端辺から捲れ上がってカードプリンタ用アタッチメント１１０から脱落してしまうことを回避することができる。
【００６９】
また、印字領域２２に情報が印字されたカード２０は、その後、カード用アタッチメント１１０を取り外して使用されることになるが、第１の実施の形態にて示したものと同様に、カード２０は粘着剤１１３によってカード用アタッチメント１１０の透明シート１１１に剥離可能に貼着されているため、透明シート１１１から剥離することで、カード用アタッチメント１１０を容易に取り外すことができる。
【００７０】
なお、本形態においては、粘着剤１１３が、透明シート１１１の土手部１１２が設けられた面の全面に塗布されることで、カード２０がその全面にて透明シート１１１に貼着されているが、アタッチメント一体カード１０１が、土手部１１２が設けられた辺、またはそれに対向する辺が先端側となってカードプリンタ内を搬送される場合、透明シート１１１の土手部１１２に沿う領域の少なくとも一部と、透明シート１１１のそれに対向する辺の少なくとも一部に粘着剤１１３が塗布されていれば、アタッチメント一体カード１０１がカードプリンタ内を搬送中にカード２０が端辺から捲れ上がってカードプリンタ用アタッチメント１１０から脱落してしまうことを回避することができる。その場合、粘着剤１１３が塗布される領域を、透明シート１１１のカード２０が貼着される領域の４つの角部とすれば、アタッチメント一体カード１０１がカードプリンタ内を搬送中にカード２０がその角部から捲れ上がってカードプリンタ用アタッチメント１１０から脱落してしまうことを回避することができる。
【００７１】
また、本形態においても、土手部１１２を、透明シート１１１の対向する２つの辺や３つの辺、あるいは４つの辺のそれぞれに設けてもよく、また、それらの辺の全域に渡って設けずに一部に設けた構成であってもよい。
【００７２】
また、上述した２つの実施の形態におけるカードプリンタ用アタッチメント１０，１１０は、カード２０に装着された場合にカード２０の短辺が当接するように嵌合部１２あるいは土手部１１２が設けられているが、カード２０の端辺であれば、短辺に限らず長辺が当接するように嵌合部１２あるいは土手部１１２が設けられていてもよい。
【００７３】
また、上述した２つの実施の形態におけるカードプリンタ用アタッチメント１０，１１０は、透明シート１１，１１１に、貼着後の剥離が可能な粘着剤１３，１１３が塗布されることによって貼着手段が付与されているが、貼着手段はこれに限らず、例えば、貼着後の剥離が可能な基材レスの粘着テープを透明シート１１，１１１に貼り付けておく構成であってもよい。また、貼着手段は、上述したような所定領域の全面にベタ状に付与するものに限らず、所定領域の全面に網点状に付与するものであってもよい。
【００７４】
また、上述した２つの実施の形態における透明シート１１，１１１は、カードプリンタ用アタッチメント１０，１１０が装着されるカード２０等の薄型シート媒体と略同一の大きさを有して角部に丸みを帯びた略長方形となっているが、本発明における板状基部は、所定の厚さを有することで、カードプリンタ用アタッチメント１０，１１０が薄型シート媒体に装着された場合に上記のような効果を奏するものであれば、そのような大きさのものに限らない。
【符号の説明】
【００７５】
１，１０１    アタッチメント一体カード
１０，１１０    カードプリンタ用アタッチメント
１１，１２ａ，１１１，１１２ａ    透明シート
１２    嵌合部
１２ｂ，１１２ｂ    接着剤
１２ｃ    嵌合溝
１３，１１３    粘着剤
１４    非貼着部
２０    カード
２１    情報表示領域
２２    印字領域
３１    載置台
３２    供給ローラ
３３    カードスタッカ
４１    印字ヘッド
４２    熱転写フィルム
４３    熱転写フィルムユニット
４４    印字ローラ
５０    スキャナ部
５１ａ，５１ｂ    ラインセンサ
６１ａ，６１ｂ，６２ａ，６２ｂ，７１ａ，７１ｂ，７２ａ，７２ｂ    搬送ローラ
７３ａ，７３ｂ    ガイド部
８０    制御部
１１２    土手部
【図１】
0006533100.tif 000002
【図２】
0006533100.tif 000003
【図３】
0006533100.tif 000004
【図４】
0006533100.tif 000005
【図５】
0006533100.tif 000006
【図６】
0006533100.tif 000007
【図７】
0006533100.tif 000008
【図８】
0006533100.tif 000009
【図９】
0006533100.tif 000010